(57)【要約】【課題】限られたスペースに搭載でき、十分な暖房能力が得られる暖房装置を低コストに実現する。【解決手段】本発明に係る暖房装置４０は、送風機５４、熱交換器５６を有する第１加熱ユニット４４および第２加熱ユニット４６が収納される収納ケース４２を備え、収納ケース４２は、空気取入れ部６０と、各加熱ユニットに空気を供給する一つの供給室６２と、第１加熱ユニット４４に連通する第１開口６４および第２加熱ユニット４６に連通する第２開口６６が設けられた仕切り部６８と、各加熱ユニットからの加熱空気を混合させる一つの混合室７０と、混合された加熱空気をキャビン１６に送出する送出部７２とを有し、空気取入れ部６０に近い側から第１加熱ユニット４４、第２加熱ユニット４６の順に並設され、配管７４は、熱源から通流される熱媒体が先に第１加熱ユニット４４に流入し、次に第２加熱ユニット４６に流入するように直列に接続されている。【選択図】図４
2020138697.tif 000002
【特許請求の範囲】
【請求項１】
作業用車両のキャビンの暖房を行う暖房装置であって、
取入れ口および吹出し口を有するユニットケース内に、前記取入れ口から取入れた空気を前記吹出し口へ向けて送風する送風機と、車体に搭載された熱源により加熱された熱媒体を通流させて送風された空気を加熱する熱交換器と、を有して構成される加熱ユニットとして第１加熱ユニットおよび第２加熱ユニットの二つを備えると共に、
前記第１加熱ユニットおよび前記第２加熱ユニットが収納される収納ケースを備え、
前記収納ケースは、
空気を取入れる空気取入れ部と、
前記空気取入れ部に連通し、前記第１加熱ユニットおよび前記第２加熱ユニットのそれぞれの前記取入れ口に対して共用で空気を供給する一つの供給室と、
前記第１加熱ユニットの前記吹出し口と隙間なく接続されて加熱空気が送出される第１開口、および前記第２加熱ユニットの前記吹出し口と隙間なく接続されて加熱空気が送出される第２開口が設けられた仕切り部と、
前記仕切り部よりも下流側において、前記第１開口からの加熱空気と前記第２開口からの加熱空気とを混合させる一つの混合室と、
一端が前記混合室に連通し、他端が前記キャビンに連通して、前記混合室において混合された加熱空気を前記キャビンに送出する送出部と、を有し、
前記収納ケース内において、前記空気取入れ部に近い側から前記第１加熱ユニット、前記第２加熱ユニットの順に並設されており、
前記第１加熱ユニットおよび前記第２加熱ユニットに前記熱媒体を通流させる配管は、前記熱源から通流される前記熱媒体が先に前記第１加熱ユニットに流入して流出し、次いで前記第２加熱ユニットに流入して流出するように、直列に接続されて構成されていること
を特徴とする暖房装置。
【請求項２】
前記第１加熱ユニットと前記第２加熱ユニットとは同一構造であること
を特徴とする請求項１記載の暖房装置。
【請求項３】
前記空気取入れ部は、前記収納ケースにおける前記車体の側部寄りに配設されており、
前記第１加熱ユニットおよび前記第２加熱ユニットは、前記収納ケース内において平面視で長手方向が直線状となるように前記車体の左右方向に並べて配設されていること
を特徴とする請求項１または請求項２記載の暖房装置。
【請求項４】
前記収納ケースは、前記キャビンの後壁部において、前記キャビンの床面からシートの座面近傍にかけての高さ位置に配設されていること
を特徴とする請求項１〜３のいずれか一項記載の暖房装置。
【発明の詳細な説明】
【技術分野】
【０００１】
本発明は、暖房装置に関し、さらに詳細には、作業用車両のキャビンの暖房を行う暖房装置に関する。
【背景技術】
【０００２】
キャビンを備える作業用車両の一例として、クローラからなる走行装置を車体の左右にそれぞれ設け、左右の走行装置の作動速度を異ならせることによって進行方向の転換を行うクローラ式キャリアが知られている（特許文献１：特開平８−２４４６５１号公報参照）。このようなクローラ式キャリアは、一例として、車体の前部（例えば、左側部）には、オペレータが乗車して操縦を行うキャビンが設けられ、車体の前部（例えば、右側部）には、走行装置等を駆動するためのエンジンが搭載されている。一方、車体の後部には、土砂等を積載するベッセル（荷台）が跳ね上げ動作可能なように設けられている。
【０００３】
ここで、特に小型・中型の作業用車両においては、コスト（製品価格）の観点から空調装置（エアコンディショナー）ではなく暖房装置（ヒータ）を要望するニーズが根強い。しかしながら、小型・中型の作業用車両に使用されていた従来の暖房装置用の加熱ユニットは、搭載スペースの制約により小型で汎用のものが用いられていた。そのため、装置コストは安価である反面、暖房能力（加熱能力、送風能力）が低く、例えば、暖房の効きが悪い、あるいは、デフロスタ性能が不足するといった問題が生じるおそれがあった。
【０００４】
その対策として、暖房能力が高い加熱ユニットを新規に開発することが考えられる。しかし、車両（キャビン等）の形状・仕様に応じた専用設計となるため、金型費等の生産コストが上昇する一方、生産コストを回収し得る車両販売台数の確保が難しく、多品種少量生産の車両への適用が困難であるという課題が生じ得る。さらに、従来の加熱ユニットよりも大型化された場合には、搭載スペースの確保が困難になるという課題も生じ得る。
【先行技術文献】
【特許文献】
【０００５】
【特許文献１】特開平８−２４４６５１号公報
【発明の概要】
【発明が解決しようとする課題】
【０００６】
本発明は、上記事情に鑑みてなされ、作業用車両の限られたスペースに搭載可能であって、且つ、十分な暖房能力を得ることが可能な暖房装置を、低コストで簡素な構成により実現することを目的とする。
【課題を解決するための手段】
【０００７】
本発明は、以下に記載するような解決手段により、前記課題を解決する。
【０００８】
本発明に係る暖房装置は、作業用車両のキャビンの暖房を行う暖房装置であって、取入れ口および吹出し口を有するユニットケース内に、前記取入れ口から取入れた空気を前記吹出し口へ向けて送風する送風機と、車体に搭載された熱源により加熱された熱媒体を通流させて送風された空気を加熱する熱交換器と、を有して構成される加熱ユニットとして第１加熱ユニットおよび第２加熱ユニットの二つを備えると共に、前記第１加熱ユニットおよび前記第２加熱ユニットが収納される収納ケースを備え、前記収納ケースは、空気を取入れる空気取入れ部と、前記空気取入れ部に連通し、前記第１加熱ユニットおよび前記第２加熱ユニットのそれぞれの前記取入れ口に対して共用で空気を供給する一つの供給室と、前記第１加熱ユニットの前記吹出し口と隙間なく接続されて加熱空気が送出される第１開口、および前記第２加熱ユニットの前記吹出し口と隙間なく接続されて加熱空気が送出される第２開口が設けられた仕切り部と、前記仕切り部よりも下流側において、前記第１開口からの加熱空気と前記第２開口からの加熱空気とを混合させる一つの混合室と、一端が前記混合室に連通し、他端が前記キャビンに連通して、前記混合室において混合された加熱空気を前記キャビンに送出する送出部と、を有し、前記収納ケース内において、前記空気取入れ部に近い側から前記第１加熱ユニット、前記第２加熱ユニットの順に並設されており、前記第１加熱ユニットおよび前記第２加熱ユニットに前記熱媒体を通流させる配管は、前記熱源から通流される前記熱媒体が先に前記第１加熱ユニットに流入して流出し、次いで前記第２加熱ユニットに流入して流出するように、直列に接続されて構成されていることを要件とする。
【発明の効果】
【０００９】
本発明によれば、作業用車両の限られたスペースに搭載可能であって、且つ、十分な暖房能力を得ることが可能な暖房装置を、低コストで簡素な構成により実現することができる。特に、作業用車両（キャビン）毎の形状・仕様に応じた専用設計を行うことなく暖房能力を簡便に増強できる構成において高い優位性が得られる。
【図面の簡単な説明】
【００１０】
【図１】本発明の実施形態に係る暖房装置が搭載される作業用車両の例を示す斜視図である。
【図２】図１に示す作業用車両のキャビンの例を示す斜視図である。
【図３】本発明の実施形態に係る暖房装置の例を示す斜視図である。
【図４】図３に示す暖房装置の内部構成を説明するための斜視図である。
【図５】図３に示す暖房装置の加熱ユニットの例を示す斜視図である。
【図６】図３に示す暖房装置の収納ケースの例を示す斜視図である。
【図７】図３に示す暖房装置のキャビン側の構成を説明するための斜視図である。
【発明を実施するための形態】
【００１１】
以下、図面を参照して、本発明の実施形態について詳しく説明する。図１は、本実施形態に係る暖房装置４０が搭載される作業用車両１の例を示す概略図（後部上方からの斜視図）であり、図２は、図１に示す作業用車両１のキャビン１６部分を拡大した概略図（後部上方からの斜視図）である。また、実施形態を説明するための全図において、同一の機能を有する部材には同一の符号を付し、その繰り返しの説明は省略する場合がある。
【００１２】
はじめに、作業用車両１の全体構成について説明する。ここでは、クローラ（無端状の履帯）を備えて走行するクローラ式キャリアを例に挙げて説明するが、これに限定されるものではない。
【００１３】
作業用車両１は、図１に示すように、車体１０の下部に、左右一対のクローラ２２を有する走行装置１２が設けられている。また、車体１０の前部（例えば、左側部）には、オペレータ（作業者）が乗車して操縦を行うキャビン１６が設けられ、車体１０の前部（例えば、右側部）には、走行装置等を駆動するためのエンジン（不図示）が収納されるエンジンルーム２０が設けられている。一方、車体１０の後部には、土砂等を積載するベッセル（荷台）１４が跳ね上げ動作可能なように設けられている。ただし、走行装置１２は、左右一対のクローラに限定されるものではなく、左右一対のタイヤを備える構成としてもよい（不図示）。また、エンジンに代えてもしくはエンジンと共にバッテリーによって走行装置等を駆動する構成としてもよい（不図示）。なお、走行および作業のためのその他の機構（駆動機構、制御機構等）については、公知の作業用車両（ここでは、クローラ式キャリア）と同様であるため、詳細の説明を省略する。
【００１４】
ここで、キャビン１６は、オペレータが搭乗可能な操作室を形成する略矩形箱状に形成されている。キャビン１６の内部には、オペレータが着座するシート１８がシート台座３６に支持されて設けられている（図２中、シート１８およびシート台座３６を破線により示す）。なお、変形例として、シート１８は１８０［度］回転可能な構成としてもよい（不図示）。
【００１５】
また、キャビン１６の内部には、走行装置１２およびベッセル１４の作動を操作するための各種の操作レバー、操作スイッチおよび種々の車両情報を表示するディスプレイ装置等が設けられている（いずれも不図示）。なお、本実施形態に係る作業用車両１は、キャビン１６側を前方として進行する運転操作とベッセル１４側を前方として進行する運転操作とのいずれも可能な仕様となっている。ただし、説明の都合上、図１における矢印で示すように作業用車両１の上下、左右、前後の方向を便宜的に定めて説明をする。
【００１６】
また、キャビン１６は、前壁部１６Ａの構成として、透明なガラスもしくは樹脂材料を用いて形成された前窓２６が設けられており、オペレータは、車両前方の視認が可能となっている。また、後壁部１６Ｂの構成として、透明なガラスもしくは樹脂材料を用いて形成された後窓２８が設けられており、オペレータは、車両後方の視認が可能となっている。なお、後窓２８の外側には金属製の格子部材３０が設けられており、ベッセル１４に積載する土砂等が後窓２８に当たって破損してしまうことの防止を図っている。
【００１７】
また、キャビン１６は、左側壁部１６Ｃの構成として、前寄りに金属材料を用いた枠２４ａに透明なガラスもしくは樹脂材料を用いた左前方窓２４ｂが固定され、回動（スライド動作でもよい）による開閉可能に構成された扉２４が設けられている。さらに、後寄りに透明なガラスもしくは樹脂材料を用いて形成された左後方窓３２が設けられている。オペレータは、扉２４によって乗降および車両左側方の視認が可能となっており、また、左後方窓３２によって車両左側方の視認が可能となっている。
【００１８】
また、キャビン１６は、右側壁部１６Ｄの構成として、透明なガラスもしくは樹脂材料を用いて形成された右窓３４が設けられており、オペレータは、車両右側方の視認が可能となっている。なお、上記の各窓は、左右もしくは上下に分割された構成としてもよく、さらに、スライド動作等によって開閉が可能な構成としてもよい（不図示）。
【００１９】
次に、キャビン１６内の暖房（デフロスタを含む）を行う暖房装置４０について、図３〜図７を用いて説明する。ここで、図３は、図２に示す作業用車両１（キャビン１６）に設けられる暖房装置４０を拡大した概略図（後部上方からの斜視図）であって、カバー４０Ａを取外して内部の構成がわかるようにした図である。また、図４は、図３に示す暖房装置４０において、収納ケース４２のカバー４２Ａを取外して内部の構成がわかるようにした概略図（後部上方からの斜視図）である。また、図５は、図３に示す暖房装置４０の加熱ユニットの例を示す概略図（前部上方からの斜視図）である。また、図６は、図３に示す暖房装置４０の収納ケース４２の例を示す概略図（後部下方からの斜視図）である。また、図７は、図３に示す暖房装置４０のキャビン１６側の構成を説明するための概略図（前部上方からの斜視図）である。
【００２０】
本実施形態に係る暖房装置４０は、収納ケース４２を備えると共に、当該収納ケース４２内に、加熱ユニット（後述の第１加熱ユニット４４、第２加熱ユニット４６）が収納されて構成されている。本実施形態においては、収納ケース４２は、キャビン１６の後壁部１６Ｂの室外側（ベッセル１４と対向する側）において、キャビン１６の床面１６ａからシート１８の座面１８ａ近傍にかかる程度の高さ位置（上下方向位置）に配設されている。
【００２１】
ここで、本実施形態に係る作業用車両１は、前方に進行する操作と後方に進行する操作との両方で用いられる。そのため、大きな暖房装置を、後壁部１６Ｂに配設した場合、後窓２８の上下方向寸法を小さくせざるを得ない等、後方視界が悪くなる要因となってしまう。しかし、上記の構成によれば、そのような問題の解決を図ることが可能となる。
【００２２】
より具体的な構成として、暖房装置４０の配設位置は、後壁部１６Ｂの室外側における、キャビン１６の床面１６ａからシート１８の座面１８ａ近傍にかかる程度の高さ位置としている。これによれば、キャビン１６の後壁部１６Ｂの上半部（すなわち、座面１８ａ近傍よりも上方の領域）に後窓２８を設ける構成が実現できる。その結果、オペレータは、後窓２８からの良好な後方視界を得ながら運転操作を行うことが可能となる。
【００２３】
しかしながら、上記の後壁部１６Ｂの室外側における暖房装置４０の配設位置は、キャビン１６とベッセル１４との間であるため、極めて限られた（狭い）スペースしか確保できない。仮に、暖房能力を高める目的で大型の加熱ユニットを取付けようとするならば、キャビン１６もしくはベッセル１４の両方もしくは一方を小型化しなければならないという相反する課題が生じ得る。特に、キャビン１６の小型化はオペレータの作業環境の悪化を招くこととなり、一方、ベッセル１４の小型化は積載量の低下による作業効率の悪化を招くこととなってしまう。
【００２４】
そこで、本実施形態に係る暖房装置４０は、上記の配設位置を変えることなく、以下の特徴的な構成を備えることによって、その課題の解決を可能としている。
【００２５】
より具体的には、暖房装置４０は、収納ケース４２内において、第１加熱ユニット４４および第２加熱ユニット４６を、車体１０の左右方向に並べて配設（平面視で長手方向が直線状となるように並設）される構成としている。これによれば、後壁部１６Ｂの室外側の配設位置において、例えば、小型汎用の加熱ユニットを一つ設けていた従来の作業用車両と比較して、当該配設位置の前後方向寸法（すなわちキャビン１６とベッセル１４との間の幅）を変更することなく、従来と同等の加熱ユニットを車体１０の左右方向に二つ設ける構成を実現することができる。したがって、従来の作業用車両よりも暖房能力を大幅に向上させることができるため、暖房の効きが悪い、あるいは、デフロスタ性能が不足するといった課題の解決を図ることができる。
【００２６】
さらに、本実施形態においては、以下の特徴的な構成を備えている。先ず、第１加熱ユニット４４と第２加熱ユニット４６とは同一構造のものを用いている。具体的な構成として、第１加熱ユニット４４は、金属材料を用いて密閉状に形成されたユニットケース４８にそれぞれ開口する取入れ口５０（一例として、左右両側）および吹出し口５２（一例として、上部）が設けられている。また、ユニットケース４８内には、取入れ口５０から取入れた空気を吹出し口５２へ向けて送風する送風機（一例として、ブロア）５４が設けられている。さらに、車体１０に搭載された熱源（一例として、エンジンもしくは電気式加熱装置）により加熱された熱媒体（一例として、クーラント等の冷却液）を通流させることによって、送風機５４により送風されて通過する空気を加熱する熱交換器（いわゆる、ヒータコア）５６が設けられている。これらの構成によって、暖房を行うための加熱空気が生成され、送出される。一方の第２加熱ユニット４６についても、上記第１加熱ユニット４４と同一構造であるユニットケース４８（取入れ口５０および吹出し口５２も同一）、送風機５４、熱交換器５６を備えて構成されている。
【００２７】
ちなみに、送風機５４としてシロッコファンを採用した場合、送風量を大きくできるものの、外径が大型化してしまう問題が生じる。そのため、本実施形態においては、送風量が小さいものの、外径が小型のブロアを採用しつつ、第１加熱ユニット４４および第２加熱ユニット４６のそれぞれがブロアを備える構成によって、送風量の増加を実現している。
【００２８】
上記の構成によれば、第１加熱ユニット４４および第２加熱ユニット４６のそれぞれに専用設計のものを用意する必要がなく、例えば、小型汎用の加熱ユニットを必要数（ここでは二つ）用意するだけでよいため、大幅なコスト低減を図ることが可能となる。しかしながら、第１加熱ユニット４４および第２加熱ユニット４６を単純に並べるというだけでは、暖房能力を最適に発揮させることはできない。さらに、二つ並設するにあたっての配置構成や配管構成が複雑化すれば、コスト増の要因となってしまう。そこで、以下のような構成によって、暖房能力の最適化と構成の簡素化を実現している。
【００２９】
第１加熱ユニット４４および第２加熱ユニット４６が収納される収納ケース４２の構成について説明する。収納ケース４２は、金属材料を用いて密閉状に形成されており、下部位置に空気を取入れる空気取入れ部６０が設けられている。ここで、空気取入れ部６０の近傍には塵埃等の進入を防止するエアフィルタ（不図示）が設けられている。また、収納ケース４２は下部位置に、空気取入れ部６０に連通し、第１加熱ユニット４４の取入れ口５０および第２加熱ユニット４６の取入れ口５０の両方に対して共用で空気（上記の取入れた空気）を供給する一つの供給室６２が設けられている。また、供給室６２の上方となる位置に、第１加熱ユニット４４の吹出し口５２と隙間なく接続されて加熱空気が送出される第１開口６４、および第２加熱ユニット４６の吹出し口５２と隙間なく接続されて加熱空気が送出される第２開口６６が開口形成された金属板状の仕切り部６８が設けられている。
【００３０】
ここで、収納ケース４２の下方位置（ここでは、底面４２ａに隣接する位置）に、空気流路が連通するようにして空気取入れ部６０に接続される略直方体状のインダクションボックス７６が設けられている。このインダクションボックス７６には、外部側開口７６ａと室内側開口７６ｂとを切換える切換え板７８が設けられており、切換え操作によって、空気取入れ部６０に取入れる空気を、外気と内気（キャビン１６内の空気）とで選択的に切換えることが可能となっている。なお、前述のエアフィルタは、インダクションボックス７６の上面（空気取入れ部６０への連通位置）と収納ケース４２の底面４２ａ（空気取入れ部６０の配設位置）とで挟まれる位置に設けられている。
【００３１】
本実施形態においては、インダクションボックス７６およびこれに連通する空気取入れ部６０を、エンジンの排気管３８とは反対側となる車体１０の側端部（ここでは、左側端部）に配設している。これによれば、エンジンからの排気が極力含まれない清浄な外気を取入れることが可能となる。
【００３２】
さらに、収納ケース４２は、仕切り部６８よりも空気の流れの下流側（本実施形態では、仕切り部６８の上方となる位置）において、第１加熱ユニット４４の熱交換器５６によって加熱されて第１開口６４から送出される加熱空気と、第２加熱ユニット４６の熱交換器５６によって加熱されて第２開口６６から送出される加熱空気とを混合させる一つの混合室７０が設けられている。また、収納ケース４２は上部位置に、一端が混合室７０に連通し、他端がキャビン１６（室内）に連通して、混合室７０において混合された加熱空気を当該キャビン１６内へ送出する送出部７２が設けられている。
【００３３】
本実施形態に係る送出部７２は、主として室内加温用の７２Ａと、主として各窓のデフロスタ用の７２Ｂとを備えて構成されている（図７参照）。送出部７２Ａには回動可能なルーバー部材が設けられており、これを回動させることにより吹出される空気の風向・風量の調整を行ったり、閉鎖状態にしたりすることができる。一方、送出部７２Ｂには樹脂製のダクト（不図示）等を接続して、吹出される空気を前窓２６、後窓２８等へ誘導することによりデフロスタ作用を得ることができる。一例として、前窓２６用には、一方の送出部７２Ｂに長いダクトを接続し、後窓２８用には、他方の送出部７２Ｂに短いダクトを接続して構成する（不図示）。
【００３４】
ここで、加熱ユニットに関する特徴的な配置構成について詳しく説明する。図５等に示すように、収納ケース４２における空気取入れ部６０は、収納ケース４２の底面４２ａにおける車体１０の側部（ここでは、左側部）寄りに配設されている。さらに、収納ケース４２内において、空気取入れ部６０に近い側から第１加熱ユニット４４、第２加熱ユニット４６の順に並設されている。このとき、第１加熱ユニット４４および第２加熱ユニット４６は、収納ケース４２内において平面視で長手方向が直線状となるように車体１０の左右方向に並べて配設されている。これに加えて、第１加熱ユニット４４および第２加熱ユニット４６に熱媒体を通流させる配管７４は、直列に接続されて構成されている。より具体的には、熱源から通流される熱媒体が先に第１加熱ユニットへ配管７４Ａにより流入して、配管７４Ｂにより流出し、次いで第２加熱ユニット４６へ配管７４Ｂにより流入して、配管７４Ｃにより流出するように構成されている。なお、配管７４における熱媒体の通流を制御するコック８０は、後壁部１６Ｂの室内側に設けられるコックカバー８２を開ければ操作できる位置に設けられている。なお、変形例として、空気取入れ部６０は、収納ケース４２の側面（ここでは、左側面）に配設される構成としてもよい（不図示）。
【００３５】
上記の構成によれば、第１加熱ユニット４４および第２加熱ユニット４６の二つを設けることで、暖房能力の向上を図ることができる。しかしながら、前述の通り、搭載スペースの制約によって、当該二つの加熱ユニットは車体１０の左右方向に並べる配置を採らざるを得ない。さらに、装置構造の簡素化のために、当該二つの加熱ユニットに取入れた空気を供給するための供給室６２を、共用で一つのみ設ける構成としている。
【００３６】
上記の配置・構造を採用したことにより、空気取入れ部６０に近い第１加熱ユニット４４と、空気取入れ部６０から遠い第２加熱ユニット４６とでは、当然、空気取入れ部６０から取入れ口５０までの距離が異なる構成となっている。その結果、第２加熱ユニット４６においては、当該距離が長い（すなわち空気流路が長い）ことに起因して空気抵抗が大きくなるため、第１加熱ユニット４４と比較して取入れ口５０で吸引される空気の量が減少する状態となる。
【００３７】
換言すれば、第１加熱ユニット４４においては、第２加熱ユニット４６と比較して取入れ口５０で吸引される空気の量が増加する状態となる。その結果、第１加熱ユニット４４においては、第２加熱ユニット４６と比較して熱交換器５６における通過空気による吸熱作用（すなわち温度低下）が大きくなってしまう。このようなアンバランスが発生する問題に対して、本実施形態においては、熱源からの配管７４を先ず第１加熱ユニット４４に接続する構成とし、最も温度が高い状態の熱媒体を先に第１加熱ユニット４４に供給することによって、そのようなアンバランスの解消を図っている。
【００３８】
また、その場合の配管７４の接続構造を直列接続とすることによって、構成の簡素化を図りつつ、第１加熱ユニット４４および第２加熱ユニット４６の両方に対して確実に熱媒体が通流する構成を実現している。しかしながら、直列接続であるが故に、第１加熱ユニット４４および第２加熱ユニット４６のそれぞれに流入する際の熱媒体に温度差が生じ、それぞれから送出される加熱空気に温度差が生じてしまうという本実施形態に係る構成ならではの課題が生じる。この課題に対して、混合室７０を設ける構成とし、第１加熱ユニット４４および第２加熱ユニット４６のそれぞれから送出される加熱空気を混合させることによって、その解決を図っている。
【００３９】
以上説明した通り、本発明によれば、作業用車両特有の制約を受ける狭いスペースに搭載可能であって、且つ、十分な暖房能力を得ることが可能な暖房装置を、低コストで簡素な構成により実現することができる。
【００４０】
特に、作業用車両（キャビン）毎の形状・仕様に応じた専用設計を行うことなく暖房能力を簡便に増強できる点において高い優位性が得られる。すなわち、本発明は、作業用車両（キャビン）毎の形状・仕様に応じて、限られた搭載スペースに小型汎用の加熱ユニットを必要数搭載する構成を実現することにより、暖房能力を簡便に増強できる技術的思想でもある。したがって、キャビンが大型化した場合、小型汎用の加熱ユニットを車体の左右方向に三つあるいはそれ以上並設する構成、あるいは、小型汎用の加熱ユニットと中型汎用の加熱ユニットとを車体の左右方向に二つ並設する構成等に、容易に適用することができる。
【００４１】
さらに、暖房装置に代えて空調装置（エアコンディショナー）を装備する構成に設計変更する場合であっても、同一の搭載スペースを用いて実現することができる。
【００４２】
なお、本発明は、以上説明した実施例に限定されることなく、本発明を逸脱しない範囲において種々変更可能である。特に、作業用車両としてクローラ式キャリアを例に挙げて説明を行ったが、これに限定されるものではなく、例えば、パワーショベル等の他の作業用車両に対しても同様に適用できることは言うまでもない。
【符号の説明】
【００４３】
１  作業用車両
１０  車体
１２  走行装置
１４  ベッセル
１６  キャビン
１８  シート
４０  暖房装置
４４  第１加熱ユニット
４６  第２加熱ユニット
４８  ユニットケース
５０  取入れ口
５２  吹出し口
５４  送風機
５６  熱交換器
６０  空気取入れ部
６２  供給室
６８  仕切り部
７０  混合室
７２、７２Ａ、７２Ｂ  送出部
７４、７４Ａ、７４Ｂ、７４Ｃ  配管
【図１】
2020138697.tif 000003
【図２】
2020138697.tif 000004
【図３】
2020138697.tif 000005
【図４】
2020138697.tif 000006
【図５】
2020138697.tif 000007
【図６】
2020138697.tif 000008
【図７】
2020138697.tif 000009